(57)【要約】  本発明は、非競合ランダムアクセスリソースの決定方法、ネットワークデバイス及び端末デバイスを提供する。該方法は、ネットワークデバイスが指示情報を生成することと、該ネットワークデバイスが該端末デバイスに指示情報を送信することとを含み、該指示情報は、端末デバイスの非競合ランダムアクセスのための第１の上りキャリア上の第１のリソース及び／又は第２の上りキャリア上の第２のリソースを示し、該第１の上りキャリアの周波数ポイントと該第２の上りキャリアの周波数ポイントとが異なる。本発明の実施例は、ネットワークデバイスが端末デバイスに指示情報を送信して、端末デバイスは、第１の上りキャリア及び第２の上りキャリアが存在する場合、非競合ランダムアクセスリソースを決定することができる。
2021509780.tif 000002
【特許請求の範囲】
【請求項１】
ネットワークデバイスが指示情報を生成することと、
前記ネットワークデバイスが端末デバイスに指示情報を送信することとを含み、
前記指示情報が前記端末デバイスの非競合ランダムアクセスのための第１の上りキャリア上の第１のリソース及び／又は第２の上りキャリア上の第２のリソースを示し、前記第１の上りキャリアの周波数ポイントと前記第２の上りキャリアの周波数ポイントとが異なる、
ことを特徴とする非競合ランダムアクセスリソースの決定方法。
【請求項２】
前記指示情報は、前記第１の上りキャリアの識別情報及び前記第１のリソースを示す情報を含む
ことを特徴とする請求項１に記載の非競合ランダムアクセスリソースの決定方法。
【請求項３】
前記指示情報は、前記第２の上りキャリアの識別情報及び前記第２のリソースを示す情報を含む
ことを特徴とする請求項１に記載の非競合ランダムアクセスリソースの決定方法。
【請求項４】
前記ネットワークデバイスが指示情報を生成する前に、前記方法は、さらに、
前記ネットワークデバイスが前記端末デバイスにより送信されたチャネル品質測定報告を受信することを含み、
前記ネットワークデバイスが指示情報を生成することは、
前記ネットワークデバイスが前記チャネル品質測定報告に基づいて、前記端末デバイスの非競合ランダムアクセスのための上りキャリアを決定することと、
前記ネットワークデバイスが前記端末デバイスの非競合ランダムアクセスのための上りキャリアに基づいて、前記指示情報を生成することとを含む
ことを特徴とする請求項２又は３に記載の非競合ランダムアクセスリソースの決定方法。
【請求項５】
前記チャネル品質測定報告は、前記第１の上りキャリアに対応するセルの参照信号受信電力ＲＳＲＰ及び／又は参照信号受信品質ＲＳＲＱ、及び前記第２の上りキャリアに対応するセルのＲＳＲＰ及び／又はＲＳＲＱを含む
ことを特徴とする請求項４に記載の非競合ランダムアクセスリソースの決定方法。
【請求項６】
前記指示情報は、前記第１の上りキャリアの識別情報、前記第２の上りキャリアの識別情報、前記第１のリソースを示す情報及び前記第２のリソースを示す情報を含む
ことを特徴とする請求項１に記載の非競合ランダムアクセスリソースの決定方法。
【請求項７】
前記指示情報は、さらに、
前記第１のリソースに対応する優先度情報及び／又は前記第２のリソースに対応する優先度情報を含む
ことを特徴とする請求項６に記載の非競合ランダムアクセスリソースの決定方法。
【請求項８】
前記ネットワークデバイスが指示情報を生成する前に、前記方法は、さらに、
前記ネットワークデバイスは、
前記第１の上りキャリアの処理負荷、前記第２の上りキャリアの処理負荷、前記第１の上りキャリアの物理ランダムアクセスチャネルＰＲＡＣＨリソースの負荷状況及び前記第２の上りキャリアのＰＲＡＣＨリソースの負荷状況のうちの少なくとも１つに基づいて、前記第１のリソースに対応する優先度情報及び／又は前記第２のリソースに対応する優先度情報を決定することを含む
ことを特徴とする請求項７に記載の非競合ランダムアクセスリソースの決定方法。
【請求項９】
前記端末デバイスの非競合ランダムアクセスのためのリソースは、
プリアンブルの識別情報及びプリアンブルを送信するための物理ランダムアクセスチャネルＰＲＡＣＨリソースを含む
ことを特徴とする請求項１〜８のいずれか１項に記載の非競合ランダムアクセスリソースの決定方法。
【請求項１０】
前記ネットワークデバイスが前記端末デバイスに指示情報を送信することは、
前記ネットワークデバイスが前記端末デバイスに無線リソース制御ＲＲＣシグナリングを送信することを含み、前記ＲＲＣシグナリングが前記指示情報を含む
ことを特徴とする請求項１〜９のいずれか１項に記載の非競合ランダムアクセスリソースの決定方法。
【請求項１１】
前記ネットワークデバイスが前記端末デバイスに指示情報を送信することは、
前記ネットワークデバイスが前記端末デバイスに物理下りリンク制御チャネル命令ＰＤＣＣＨ  ｏｒｄｅｒを送信することを含み、前記ＰＤＣＣＨ  ｏｒｄｅｒが前記指示情報を含む
ことを特徴とする請求項１〜９のいずれか１項に記載の非競合ランダムアクセスリソースの決定方法。
【請求項１２】
端末デバイスがネットワークデバイスにより送信された指示情報を受信することと、
前記端末デバイスが前記指示情報に基づいてランダムアクセスを行うこととを含み、
前記指示情報が前記端末デバイスの非競合ランダムアクセスのための第１の上りキャリア上の第１のリソース及び／又は第２の上りキャリア上の第２のリソースを示し、前記第１の上りキャリアの周波数ポイントと前記第２の上りキャリアの周波数ポイントとが異なる
ことを特徴とする非競合ランダムアクセスリソースの決定方法。
【請求項１３】
前記指示情報は、前記第１の上りキャリアの識別情報及び前記第１のリソースを示す情報を含む
ことを特徴とする請求項１２に記載の非競合ランダムアクセスリソースの決定方法。
【請求項１４】
前記指示情報は、前記第２の上りキャリアの識別情報及び前記第２のリソースを示す情報を含む
ことを特徴とする請求項１２に記載の非競合ランダムアクセスリソースの決定方法。
【請求項１５】
前記端末デバイスがネットワークデバイスにより送信された指示情報を受信する前に、前記方法は、さらに、
前記ネットワークデバイスがチャネル品質測定報告に基づいて前記指示情報を生成するように、前記端末デバイスが前記ネットワークデバイスに前記チャネル品質測定報告を送信することを含む
ことを特徴とする請求項１３又は１４に記載の非競合ランダムアクセスリソースの決定方法。
【請求項１６】
前記チャネル品質測定報告は、前記第１の上りキャリアに対応するセルの参照信号受信電力ＲＳＲＰ及び／又は参照信号受信品質ＲＳＲＱ、及び前記第２の上りキャリアに対応するセルのＲＳＲＰ及び／又はＲＳＲＱを含む
ことを特徴とする請求項１５に記載の非競合ランダムアクセスリソースの決定方法。
【請求項１７】
前記指示情報は、前記第１の上りキャリアの識別情報、前記第２の上りキャリアの識別情報、前記第１のリソースを示す情報及び前記第２のリソースを示す情報を含む
ことを特徴とする請求項１２に記載の非競合ランダムアクセスリソースの決定方法。
【請求項１８】
前記指示情報は、さらに、
前記第１のリソースに対応する優先度情報及び／又は前記第２のリソースに対応する優先度情報を含む
ことを特徴とする請求項１７に記載の非競合ランダムアクセスリソースの決定方法。
【請求項１９】
前記端末デバイスの非競合ランダムアクセスのためのリソースは、
プリアンブルの識別情報及びプリアンブルを送信するための物理ランダムアクセスチャネルＰＲＡＣＨリソースを含む
ことを特徴とする請求項１２〜１８のいずれか１項に記載の非競合ランダムアクセスリソースの決定方法。
【請求項２０】
前記端末デバイスがネットワークデバイスにより送信された指示情報を受信することは、
前記端末デバイスが前記ネットワークデバイスにより送信された無線リソース制御ＲＲＣシグナリングを受信することを含み、前記ＲＲＣシグナリングが前記指示情報を含む
ことを特徴とする請求項１２〜１９のいずれか１項に記載の非競合ランダムアクセスリソースの決定方法。
【請求項２１】
前記端末デバイスがネットワークデバイスにより送信された指示情報を受信することは、
前記端末デバイスが前記ネットワークデバイスにより送信された物理下りリンク制御チャネル命令ＰＤＣＣＨ  ｏｒｄｅｒを受信することを含み、前記ＰＤＣＣＨ  ｏｒｄｅｒが前記指示情報を含む
ことを特徴とする請求項１２〜１９のいずれか１項に記載の非競合ランダムアクセスリソースの決定方法。
【請求項２２】
生成ユニットと、送受信ユニットと、を備えるネットワークデバイスであって、
前記生成ユニットは、指示情報を生成するように構成され、前記指示情報が端末デバイスの非競合ランダムアクセスのための第１の上りキャリア上の第１のリソース及び／又は第２の上りキャリア上の第２のリソースを示し、前記第１の上りキャリアの周波数ポイントと前記第２の上りキャリアの周波数ポイントとが異なり、
前記送受信ユニットは、前記端末デバイスに指示情報を送信するように構成される
ことを特徴とするネットワークデバイス。
【請求項２３】
前記指示情報は、前記第１の上りキャリアの識別情報及び前記第１のリソースを示す情報を含む
ことを特徴とする請求項２２に記載のネットワークデバイス。
【請求項２４】
前記指示情報は、前記第２の上りキャリアの識別情報及び前記第２のリソースを示す情報を含む
ことを特徴とする請求項２２に記載のネットワークデバイス。
【請求項２５】
前記送受信ユニットは、さらに
指示情報を生成する前に、前記端末デバイスにより送信されたチャネル品質測定報告を受信するように構成され、
前記生成ユニットは、
前記チャネル品質測定報告に基づいて、前記端末デバイスの非競合ランダムアクセスのための上りキャリアを決定し、
前記端末デバイスの非競合ランダムアクセスのための上りキャリアに基づいて、前記指示情報を生成するように構成される
ことを特徴とする請求項２３又は２４に記載のネットワークデバイス。
【請求項２６】
前記チャネル品質測定報告は、前記第１の上りキャリアに対応するセルの参照信号受信電力ＲＳＲＰ及び／又は参照信号受信品質ＲＳＲＱ、及び前記第２の上りキャリアに対応するセルのＲＳＲＰ及び／又はＲＳＲＱを含む
ことを特徴とする請求項２５に記載のネットワークデバイス。
【請求項２７】
前記指示情報は、前記第１の上りキャリアの識別情報、前記第２の上りキャリアの識別情報、前記第１のリソースを示す情報及び前記第２のリソースを示す情報を含む
ことを特徴とする請求項２２に記載のネットワークデバイス。
【請求項２８】
前記指示情報は、さらに、
前記第１のリソースに対応する優先度情報及び／又は前記第２のリソースに対応する優先度情報を含む
ことを特徴とする請求項２７に記載のネットワークデバイス。
【請求項２９】
前記送受信ユニットは、さらに、
指示情報を生成する前に、
前記第１の上りキャリアの処理負荷、前記第２の上りキャリアの処理負荷、前記第１の上りキャリアの物理ランダムアクセスチャネルＰＲＡＣＨリソースの負荷状況及び前記第２の上りキャリアのＰＲＡＣＨリソースの負荷状況のうちの少なくとも１つに基づいて、前記第１のリソースに対応する優先度情報及び／又は前記第２のリソースに対応する優先度情報を決定するように構成される
ことを特徴とする請求項２８に記載のネットワークデバイス。
【請求項３０】
前記端末デバイスの非競合ランダムアクセスのためのリソースは、
プリアンブルの識別情報及びプリアンブルを送信するための物理ランダムアクセスチャネルＰＲＡＣＨリソースを含む
ことを特徴とする請求項２２〜２９のいずれか１項に記載のネットワークデバイス。
【請求項３１】
前記送受信ユニットは、
前記端末デバイスに無線リソース制御ＲＲＣシグナリングを送信するように構成され、前記ＲＲＣシグナリングが前記指示情報を含む
ことを特徴とする請求項２２〜３０のいずれか１項に記載のネットワークデバイス。
【請求項３２】
前記送受信ユニットは、
前記端末デバイスに物理下りリンク制御チャネル命令ＰＤＣＣＨ  ｏｒｄｅｒを送信するように構成され、前記ＰＤＣＣＨ  ｏｒｄｅｒが前記指示情報を含む
ことを特徴とする請求項２２〜３１のいずれか１項に記載のネットワークデバイス。
【請求項３３】
送受信ユニットと、処理ユニットと、を備える端末デバイスであって
送受信ユニットは、ネットワークデバイスにより送信された指示情報を受信するように構成され、前記指示情報が前記端末デバイスの非競合ランダムアクセスのための第１の上りキャリア上の第１のリソース及び／又は第２の上りキャリア上の第２のリソースを示し、前記第１の上りキャリアの周波数ポイントと前記第２の上りキャリアの周波数ポイントとが異なり、
処理ユニットは、前記指示情報に基づいてランダムアクセスを行うように構成される
ことを特徴とする端末デバイス。
【請求項３４】
前記指示情報は、前記第１の上りキャリアの識別情報及び前記第１のリソースを示す情報を含む
ことを特徴とする請求項３３に記載の端末デバイス。
【請求項３５】
前記指示情報は、前記第２の上りキャリアの識別情報及び前記第２のリソースを示す情報を含む
ことを特徴とする請求項３３に記載の端末デバイス。
【請求項３６】
前記送受信ユニットは、さらに、
前記ネットワークデバイスがチャネル品質測定報告に基づいて前記指示情報を生成するように、ネットワークデバイスにより送信された指示情報を受信する前に、前記ネットワークデバイスに前記チャネル品質測定報告を送信するように構成される
ことを特徴とする請求項３４又は３５に記載の端末デバイス。
【請求項３７】
前記チャネル品質測定報告は、前記第１の上りキャリアに対応するセルの参照信号受信電力ＲＳＲＰ及び／又は参照信号受信品質ＲＳＲＱ、及び前記第２の上りキャリアに対応するセルのＲＳＲＰ及び／又はＲＳＲＱを含む
ことを特徴とする請求項３６に記載の端末デバイス。
【請求項３８】
前記指示情報は、前記第１の上りキャリアの識別情報、前記第２の上りキャリアの識別情報、前記第１のリソースを示す情報及び前記第２のリソースを示す情報を含む
ことを特徴とする請求項３３に記載の端末デバイス。
【請求項３９】
前記指示情報は、さらに、
前記第１のリソースに対応する優先度情報及び／又は前記第２のリソースに対応する優先度情報を含む
ことを特徴とする請求項３８に記載の端末デバイス。
【請求項４０】
前記端末デバイスの非競合ランダムアクセスのためのリソースは、
プリアンブルの識別情報及びプリアンブルを送信するための物理ランダムアクセスチャネルＰＲＡＣＨリソースを含む
ことを特徴とする請求項３３〜３９のいずれか１項に記載の端末デバイス。
【請求項４１】
前記送受信ユニットは、
前記ネットワークデバイスにより送信された無線リソース制御ＲＲＣシグナリングを受信するように構成され、前記ＲＲＣシグナリングが前記指示情報を含む
ことを特徴とする請求項３３〜４０のいずれか１項に記載の端末デバイス。
【請求項４２】
前記送受信ユニットは、
前記ネットワークデバイスにより送信された物理下りリンク制御チャネル命令ＰＤＣＣＨ  ｏｒｄｅｒを受信するように構成され、前記ＰＤＣＣＨ  ｏｒｄｅｒが前記指示情報を含む
ことを特徴とする請求項３３〜４１のいずれか１項に記載の端末デバイス。
【発明の詳細な説明】
【技術分野】
【０００１】
本発明の実施例は、通信分野に関し、具体的に、非競合ランダムアクセスリソースの決定方法、ネットワークデバイス及び端末デバイスに関する。
【背景技術】
【０００２】
人々が速度、遅延、高速移動性、エネルギー効率に対する追求、および将来の生活におけるサービスが多様性、複雑になる。第３世代パートナーシッププロジェクト( Ｔｈｅ３ ｒｄ Ｇｅｎｅｒａｔｉｏｎ Ｐａｒｔｎｅｒｓｈｉｐ Ｐｒｏｊｅｃｔ、３ ＧＰＰ )国際標準団体は、第５世帯移動通信技術（５−Ｇｅｎｅｒａｔｉｏｎ、５Ｇ）の開発を開始している。新しいラジオ( Ｎｅｗ Ｒａｄｉｏ、ＮＲ )の早期展開において、完全なＮＲカバレージは、取得することが困難であるため、典型的なネットワークカバレージは、広域のロングタームエボリューション( Ｌｏｎｇ Ｔｅｒｍ Ｅｖｏｌｕｔｉｏｎ、ＬＴＥ )カバレージおよびＮＲの孤立カバレージモードである。また、多くのＬＴＥの展開が６ギガヘルツ( ＧＨｚ )以下であるため、５Ｇに利用可能な６ ＧＨｚ以下のスペクトルは少ない。したがって、ＮＲは６ ＧＨz以上のスペクトル適用を検討しなければならず、高周波数帯域のカバレッジは限られており、信号のフェージングは速い。
【０００３】
従来技術において、端末デバイスは、上り電力が制限され、ＮＲの周波数スペクトル(周波数が高く、伝搬損失が高い)の周波数が高いため、上りカバレッジが制限されており、上りカバレッジを向上させるために、ＬＴＥスペクトル(相対的に周波数が低い)を補助上りスペクトルとして利用して(すなわち、補助上りキャリアが１つ存在する)、上りカバレッジを向上させることができる。
【０００４】
しかしながら、端末デバイスが補助上りリンク( ＳＵＬ )存在しない場合、非競合ランダムアクセスリソースは、無線リソース制御( Ｒａｄｉｏ Ｒｅｓｏｕｒｃｅ Ｃｏｎｔｒｏｌ、ＲＲＣ )または物理下りリンク制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )命令( ｏｒｄｅｒ )の形態で端末デバイスに配置され、このとき、１つの上りキャリアしかないので、端末デバイスは、非競合ランダムアクセスリソースの配置状況が非常に明白であり、したがって、この非競合ランダムアクセスリソースを正しく選択してランダムアクセス手順を開始することができる。
【０００５】
しかしながら、補助上りリンク( ＳＵＬ )を有し、例えば、端末デバイスが少なくとも２つの上りリンク( ＵＬ )キャリアを有する場合、既存の構成を用いて、端末デバイスは、どちらの上りリンクのリソースを使用するかを知らない。
【発明の概要】
【０００６】
本発明は、非競合ランダムアクセスリソースの決定方法、ネットワークデバイス及び端末デバイスを提供する。端末デバイスは、少なくとも２つの上りリンク（ＵＬ）キャリアが存在する場合、非競合ランダムアクセスリソースを決定することができる。
【０００７】
第１の態様は、非競合ランダムアクセスリソースの決定方法を提供し、
ネットワークデバイスが指示情報を生成することと、前記ネットワークデバイスが前記端末デバイスに指示情報を送信することとを含み、前記指示情報が端末デバイスの非競合ランダムアクセスのための第１の上りキャリア上の第１のリソース及び／又は第２の上りキャリア上の第２のリソースを示し、前記第１の上りキャリアの周波数ポイントと前記第２の上りキャリアの周波数ポイントとが異なる。
【０００８】
本発明の実施例は、ネットワークデバイスを介して端末デバイスに指示情報を送信することにより、端末デバイスが第１の上りキャリアと第２の上りキャリアが存在する場合に、非競合ランダムアクセスリソースを決定することができる。
【０００９】
いくつかの実現可能な方式において、前記指示情報は、前記第１の上りキャリアの識別情報及び前記第１のリソースを示す情報を含む。
【００１０】
いくつかの実現可能な方式において、前記指示情報は、前記第２の上りキャリアの識別情報及び前記第２のリソースを示す情報を含む。
【００１１】
いくつかの実現可能な方式において、前記ネットワークデバイスが指示情報を生成する前に、前記方法は、さらに、
前記ネットワークデバイスが前記端末デバイスにより送信されたチャネル品質測定報告を受信することを含み、ここで、前記ネットワークデバイスが指示情報を生成することは、
前記ネットワークデバイスが前記チャネル品質測定報告に基づいて、前記端末デバイスの非競合ランダムアクセスのための上りキャリアを決定することと、前記ネットワークデバイスが前記端末デバイスの非競合ランダムアクセスのための上りキャリアに基づいて、前記指示情報を生成することとを含む。
【００１２】
いくつかの実現可能な方式において、前記チャネル品質測定報告は、前記第１の上りキャリアに対応するセルの参照信号受信電力ＲＳＲＰ及び／又は参照信号受信品質ＲＳＲＱ、及び前記第２の上りキャリアに対応するセルのＲＳＲＰ及び／又はＲＳＲＱを含む。
【００１３】
いくつかの実現可能な方式において、前記指示情報は、前記第１の上りキャリアの識別情報、前記第２の上りキャリアの識別情報、前記第１のリソースを示す情報及び前記第２のリソースを示す情報を含む。
【００１４】
いくつかの実現可能な方式において、前記指示情報は、さらに、
前記第１のリソースに対応する優先度情報及び／又は前記第２のリソースに対応する優先度情報を含む。
【００１５】
いくつかの実現可能な方式において、前記ネットワークデバイスが指示情報を生成する前に、前記方法は、さらに、
前記ネットワークデバイスは、前記第１の上りキャリアの処理負荷、前記第２の上りキャリアの処理負荷、前記第１の上りキャリアの物理ランダムアクセスチャネルＰＲＡＣＨリソースの負荷状況及び前記第２の上りキャリアのＰＲＡＣＨリソースの負荷状況のうちの少なくとも１つに基づいて、前記第１のリソースに対応する優先度情報及び／又は前記第２のリソースに対応する優先度情報を決定することを含む。
【００１６】
いくつかの実現可能な方式において、前記端末デバイスの非競合ランダムアクセスのためのリソースは、プリアンブルの識別情報及びプリアンブルを送信するための物理ランダムアクセスチャネルＰＲＡＣＨリソースを含む。
【００１７】
いくつかの実現可能な方式において、前記ネットワークデバイスが前記端末デバイスに指示情報を送信することは、
前記ネットワークデバイスが前記端末デバイスに無線リソース制御ＲＲＣシグナリングを送信することを含み、前記ＲＲＣシグナリングが前記指示情報を含む。
【００１８】
いくつかの実現可能な方式において、前記ネットワークデバイスが前記端末デバイスに指示情報を送信することは、
前記ネットワークデバイスが前記端末デバイスに物理下りリンク制御チャネル命令ＰＤＣＣＨ ｏｒｄｅｒを送信することを含み、前記ＰＤＣＣＨ ｏｒｄｅｒが前記指示情報を含む。
【００１９】
第２の態様は、非競合ランダムアクセスリソースの決定方法を提供し、
端末デバイスがネットワークデバイスにより送信された指示情報を受信することと、前記端末デバイスが前記指示情報に基づいてランダムアクセスを行うこととを含み、前記指示情報が前記端末デバイスの非競合ランダムアクセスのための第１の上りキャリア上の第１のリソース及び／又は第２の上りキャリア上の第２のリソースを示し、前記第１の上りキャリアの周波数ポイントと前記第２の上りキャリアの周波数ポイントとが異なる。
【００２０】
いくつかの実現可能な方式において、前記指示情報は、前記第１の上りキャリアの識別情報及び前記第１のリソースを示す情報を含む。
【００２１】
いくつかの実現可能な方式において、前記指示情報は、前記第２の上りキャリアの識別情報及び前記第２のリソースを示す情報を含む。
【００２２】
いくつかの実現可能な方式において、前記端末デバイスがネットワークデバイスにより送信された指示情報を受信する前に、前記方法は、さらに、
前記ネットワークデバイスが前記チャネル品質測定報告に基づいて前記指示情報を生成するように、前記端末デバイスが前記ネットワークデバイスにチャネル品質測定報告を送信することを含む。
【００２３】
いくつかの実現可能な方式において、前記チャネル品質測定報告は、前記第１の上りキャリアに対応するセルの参照信号受信電力ＲＳＲＰ及び／又は参照信号受信品質ＲＳＲＱ、及び前記第２の上りキャリアに対応するセルのＲＳＲＰ及び／又はＲＳＲＱを含む。
【００２４】
いくつかの実現可能な方式において、前記指示情報は、前記第１の上りキャリアの識別情報、前記第２の上りキャリアの識別情報、前記第１のリソースを示す情報及び前記第２のリソースを示す情報を含む。
【００２５】
いくつかの実現可能な方式において、前記指示情報は、さらに、
前記第１のリソースに対応する優先度情報及び／又は前記第２のリソースに対応する優先度情報を含む。
【００２６】
いくつかの実現可能な方式において、前記端末デバイスの非競合ランダムアクセスのためのリソースは、
プリアンブルの識別情報及びプリアンブルを送信するための物理ランダムアクセスチャネルＰＲＡＣＨリソースを含む。
【００２７】
いくつかの実現可能な方式において、前記端末デバイスがネットワークデバイスにより送信された指示情報を受信することは、
前記端末デバイスが前記ネットワークデバイスにより送信された無線リソース制御ＲＲＣシグナリングを受信することを含み、前記ＲＲＣシグナリングが前記指示情報を含む。
【００２８】
いくつかの実現可能な方式において、前記端末デバイスがネットワークデバイスにより送信された指示情報を受信することは、
前記端末デバイスが前記ネットワークデバイスにより送信された物理下りリンク制御チャネル命令ＰＤＣＣＨ ｏｒｄｅｒを受信することを含み、前記ＰＤＣＣＨ ｏｒｄｅｒが前記指示情報を含む。
【００２９】
第３の態様は、ネットワークデバイスを提供し、生成ユニット及び送受信ユニットを含み、
生成ユニットは、指示情報を生成するように構成され、前記指示情報が端末デバイスの非競合ランダムアクセスのための第１の上りキャリア上の第１のリソース及び／又は第２の上りキャリア上の第２のリソースを示し、前記第１の上りキャリアの周波数ポイントと前記第２の上りキャリアの周波数ポイントとが異なり、
送受信ユニットは、前記端末デバイスに指示情報を送信するように構成される。
【００３０】
第４の態様は、ネットワークデバイスを提供し、
プロセッサは、指示情報を生成するように構成され、前記指示情報が端末デバイスの非競合ランダムアクセスのための第１の上りキャリア上の第１のリソース及び／又は第２の上りキャリア上の第２のリソースを示し、前記第１の上りキャリアの周波数ポイントと前記第２の上りキャリアの周波数ポイントとが異なり、
送受信機は、前記端末デバイスに指示情報を送信するように構成される。
【００３１】
第５の態様は、端末デバイスを提供し、送受信ユニット及び処理ユニットを含み、
送受信ユニットは、ネットワークデバイスにより送信された指示情報を受信するように構成され、前記指示情報が前記端末デバイスの非競合ランダムアクセスのための第１の上りキャリア上の第１のリソース及び／又は第２の上りキャリア上の第２のリソースを示し、前記第１の上りキャリアの周波数ポイントと前記第２の上りキャリアの周波数ポイントとが異なり、
処理ユニットは、前記指示情報に基づいてランダムアクセスを行うように構成される。
【００３２】
第６の態様は、端末デバイスを提供し、送受信機及びプロセッサを含み、
送受信機は、ネットワークデバイスにより送信された指示情報を受信するように構成され、前記指示情報が前記端末デバイスの非競合ランダムアクセスのための第１の上りキャリア上の第１のリソース及び／又は第２の上りキャリア上の第２のリソースを示し、前記第１の上りキャリアの周波数ポイントと前記第２の上りキャリアの周波数ポイントとが異なり、
プロセッサは、前記指示情報に基づいてランダムアクセスを行うように構成される。
【００３３】
第７の態様は、上述の第１の態様または第２の態様の方法の実施例を実行するための命令を含むコンピュータプログラムを記憶するためのコンピュータ可読媒体を提供する。
【００３４】
第８の態様は、入力インターフェースと、出力インターフェースと、少なくとも１つのプロセッサと、メモリとを備えるコンピュータチップを提供し、プロセッサは、メモリ内のコードを実行し、コードが実行されると、上記第１または第２の態様の非競合ランダムアクセスリソースの決定方法においてネットワークデバイスによって実行される様々なプロセスを実現する。
【００３５】
第９の態様は、入力インターフェースと、出力インターフェースと、少なくとも１つのプロセッサと、メモリとを備えるコンピュータチップを提供し、プロセッサは、メモリ内のコードを実行し、コードが実行されると、上記第１または第２の態様の非競合ランダムアクセスリソースの決定方法において端末デバイスによって実行される様々なプロセスを実現する。
【００３６】
第１０の態様は、上記ネットワークデバイスと端末デバイスとを備えた通信システムを提供する。
【図面の簡単な説明】
【００３７】
【図１】本発明の応用シーンの例である。
【図２】本発明の実施例における非競合ランダムアクセスリソースの決定方法のフローチャートである。
【図３】本発明の実施例におけるネットワークデバイスのブロック図である。
【図４】本発明の実施例における他のネットワークデバイスのブロック図である。
【図５】本発明の実施例における端末デバイスのブロック図である。
【図６】本発明の実施例における他の端末デバイスのブロック図である。
【発明を実施するための形態】
【００３８】
図１は本発明の実施例の応用シーンの例である。
【００３９】
図１に示すように、端末デバイスは、１つの下りキャリアと２つの上りキャリア(図１に示す第１の上りキャリアと第２の上りキャリア)を有してもよい。具体的には、この第１の上りキャリアおよび下りキャリアは、ＮＲ高周波数帯域上のキャリアであり得、第２の上りキャリアは、ＬＴＥ低周波数帯域上のキャリアであり得る。なお、図１に示す端末デバイスは、２つの上りキャリアを有する例を示したに過ぎず、本発明の実施例は、特に限定されない。例えば、この端末デバイスは、３つの上りキャリア等をサポートすることもできる。
【００４０】
なお、第２の上りリンクキャリアを導入する動機は、ＮＲ高帯域の上りカバレージを改善する。
【００４１】
具体的に、端末デバイスは、上り電力が制限され、ＮＲの周波数スペクトル(周波数が高く、伝搬損失が高い)の周波数が高いため、ＮＲの上りカバレッジが制限され、上りカバレッジを向上させるために、本発明の実施例ではデータを送信する方法を提案する。ＬＴＥスペクトル(相対的に低い周波数)を補助上りリンクキャリアとして利用することにより、上りリンクカバレッジ効果を高めることができる。
【００４２】
たとえば、第１の上りキャリアおよび第２の上りキャリアの組合せは、ＬＴＥにおけるキャリアアグリゲーション( ＣＡ )と同様であり、ただし、対応する下りものを有しない。すなわち、バンド（ｂａｎｄ）の組み合わせから見ると、第２の上りキャリアは上りだけで下りがないセルであるが、その上りはある下りキャリアによって制御され、第２の上りキャリアが配置されている場合には、第２の上りキャリアは下りのないセカンダリサービングセル( ＳＣｅｌｌ )であり、第２の上りキャリアに対する制御は、プライマリサービングセル( ＰＣｅｌｌ )に依存する。
【００４３】
なお、本発明の実施例は、複数の上りリンクを含む任意の通信システムに適用可能である。例えば、この第１の通信システム及び第２の通信システムは、例えば、Ｇｌｏｂａｌ Ｓｙｓｔｅｍ ｏｆ Ｍｏｂｉｌｅ ｃｏｍｍｕｎｉｃａｔｉｏｎ ( ＧＳＭ )システム、Ｃｏｄｅ Ｄｉｖｉｓｉｏｎ Ｍｕｌｔｉｐｌｅ Ａｃｃｅｓｓ ( ＣＤＭＡ )システム、Ｗｉｄｅｂａｎｄ Ｃｏｄｅ Ｄｉｖｉｓｉｏｎ Ｍｕｌｔｉｐｌｅ Ａｃｃｅｓｓ ( ＷＣＤＭＡ )システム、Ｇｅｎｅｒａｌ Ｐａｃｋｅｔ Ｒａｄｉｏ Ｓｅｒｖｉｃｅ ( ＧＰＲＳ )、Ｌｏｎｇ Ｔｅｒｍ Ｅｖｏｌｕｔｉｏｎ ( ＬＴＥ )システム、Ｔｉｍｅ Ｄｉｖｉｓｉｏｎ Ｄｕｐｌｅｘ ( ＴＤＤ )、Ｕｎｉｖｅｒｓａｌ Ｍｏｂｉｌｅ Ｔｅｌｅｃｏｍｍｕｎｉｃａｔｉｏｎ Ｓｙｓｔｅｍ ( ＵＭＴＳ )等の各種通信システムであってもよい。
【００４４】
また、本発明の実施例では、第１〜第４のネットワークデバイスとしてのネットワークデバイスと、端末デバイスとを例に挙げて説明した。
【００４５】
ここで、ネットワークデバイスは、ネットワーク側の任意のエンティティが信号を送信または受信するために使用することができる。例えば、マシンクラス通信( ＭＴＣ )のユーザ機器、ＧＳＭ又はＣＤＭＡにおける基地局( Ｂａｓｅ Ｔｒａｎｓｃｅｉｖｅｒ Ｓｔａｔｉｏｎ、ＢＴＳ )、ＷＣＤＭＡにおける基地局( ＮｏｄｅＢ )、ＬＴＥにおける発展型基地局( Ｅｖｏｌｕｔｉｏｎａｌ Ｎｏｄｅ Ｂ、ｅＮＢ又はｅＮｏｄｅＢ )、５Ｇネットワークにおける基地局機器等であってもよい。
【００４６】
端末デバイスは、どのような端末デバイスであってもよい。具体的には、端末デバイスは、アクセス端末、ユーザ機器( Ｕｓｅｒ Ｅｑｕｉｐｍｅｎｔ、ＵＥ )、ユーザ機器、ユーザ局、移動局、リモート端末、モバイルデバイス、ユーザ端末、ワイヤレス通信デバイス、ユーザエージェント、またはユーザ装置とも呼ばれ、無線アクセスネットワーク( Ｒａｄｉｏ Ａｃｃｅｓｓ Ｎｅｔｗｏｒｋ、ＲＡＮ )を介して１つまたは複数のコアネットワーク( Ｃｏｒｅ Ｎｅｔｗｏｒｋ )と通信し得る。例えば、携帯電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、および５Ｇネットワークにおける端末デバイスなどであり得る。
【００４７】
非競合ランダムアクセス手順から、非補助上りリンク( ＳＵＬ )シーンでは、非競合ランダムアクセスリソースは、ＲＲＣまたはＰＤＣＣＨ ｏｒｄｅｒ形式でUEに設定され、このとき、１つの上りリンクしかないので、ＵＥは、非競合ランダムアクセスリソースの設定状況をはっきりと知り、さらに、その非競合ランダムアクセスリソースを正しく選択してランダムアクセス手順を開始することができる。しかし、ＳＵＬシーンでは、少なくとも２つの上りリンク( ＵＬ )キャリアが存在するので、既存の構成では、端末デバイスは、どの上りリンクのリソースを使用するか分からない。
【００４８】
そして、本発明の実施例は、非競合ランダムアクセスリソースの決定方法を提供する。端末デバイスは、少なくとも２つの上りリンク（ＵＬ）キャリアが存在する場合、非競合ランダムアクセスリソースを決定することができる。
【００４９】
以下、図２を参照し、本発明の実施例の競争ランダムアクセスを説明する。
【００５０】
図２は本発明の実施例における非競合ランダムアクセスの方法のフローチャートである。
【００５１】
２１０において、ネットワークデバイスが指示情報を生成し、
２２０において、ネットワークデバイスが端末デバイスに該指示情報を送信し、
２３０において、端末デバイスが該指示情報に基づいてランダムアクセスを行う。
【００５２】
具体的に、ネットワークデバイスが指示情報を生成し、該指示情報は、端末デバイスの非競合ランダムアクセスのための第１の上りキャリア上の第１のリソース及び／又は第２の上りキャリア上の第２のリソースを示し、該第１の上りキャリアの周波数ポイントと該第２の上りキャリアの周波数ポイントとは異なり、該ネットワークデバイスが該端末デバイスに指示情報を送信する。これにより、該端末デバイスは、受信した該指示情報に基づいてランダムアクセスを行う。
【００５３】
以下、指示情報の具体的な内容について例示的に説明する。
【００５４】
１つの実施例において、この指示情報は、ネットワークデバイスが端末デバイスのために選択したキャリアリソースを含み得る。すなわち、ネットワークデバイスは、選択したキャリアリソースを端末デバイスに直接指示する。
【００５５】
例えば、該指示情報は、該第１の上りキャリアの識別情報及び該第１のリソースを示す情報を含む。
【００５６】
また、例えば、該指示情報は、該第２の上りキャリアの識別情報及び該第２のリソースを示す情報を含む。
【００５７】
本発明の実施例において、該キャリアリソースが該ネットワークデバイスにより選択される。任意選択で、該ネットワークデバイスが指示情報を生成する前に、該ネットワークデバイスが該端末デバイスにより送信されたチャネル品質測定報告を受信し、さらに、該ネットワークデバイスが該チャネル品質測定報告に基づいて、該端末デバイスの非競合ランダムアクセスのための上りキャリアを決定し、該端末デバイスの非競合ランダムアクセスのための上りキャリアに基づいて、該指示情報を生成する。
【００５８】
なお、該チャネル品質測定報告は、
該第１の上りキャリアに対応するセルの参照信号受信電力（Ｒｅｆｅｒｅｎｃｅ Ｓｉｇｎａｌ Ｒｅｃｅｉｖｉｎｇ Ｐｏｗｅｒ、ＲＳＲＰ）及び／又は参照信号受信品質（Ｒｅｆｅｒｅｎｃｅ Ｓｉｇｎａｌ Ｒｅｃｅｉｖｉｎｇ Ｑｕａｌｉｔｙ、ＲＳＲＱ）、及び該第２の上りキャリアに対応するセルのＲＳＲＰ及び／又はＲＳＲＱを含むが、これらに限定されない。
【００５９】
具体的には、このネットワークデバイスは、端末デバイスに対して非競合ランダムアクセスリソースのセットを設定し、その非競合ランダムアクセスリソースのセットがどのＵＬキャリアに属することを示す。具体的には、ネットワークデバイスは、端末デバイスから報告された測定結果報告に従って、端末デバイスが非競合ランダムアクセスリソースを開始するＵＬキャリアを選択することができる。例えば、ハンドオーバーシーンでは、ネットワークデバイスは、信号品質を知り、このとき、端末デバイスが現在位置するセルは、目標セルがＵＬキャリアを選択するために、目標セルに対する端末デバイスの測定結果(例えば、ＲＳＲＰ / ＲＳＲＱ )を目標セルに送信する必要がある。本発明の実施例において、ネットワークデバイスは、端末デバイスのための専用ランダムアクセスリソースを設定するとき、測定結果を参照して、端末デバイスのための専用ランダムアクセスリソースを設定してもよい。
【００６０】
他の実施例では、この指示情報は、各上りキャリア上のリソースを含み得る。すなわち、ネットワークデバイスは、端末デバイスが利用可能な全ての上りキャリアのリソースを端末デバイスに直接的に指示し、最終的に端末デバイスが非競合ランダムアクセスを行うためのリソースを選択する。
【００６１】
例えば、この指示情報は、第１の上りキャリアの識別情報、第２の上りキャリアの識別情報、第１のリソースを示す情報、第２のリソースを示す情報を含んでもよい。
【００６２】
具体的には、ネットワークデバイスは、端末デバイスが構成する非競合ランダムアクセスリソースの各々に、そのランダムアクセスリソースがどのＵＬキャリアに属するかを示すＵＬキャリア番号を割り当てることにより、端末デバイスは、非競合ランダムアクセスリソースとＵＬキャリアとの対応関係を知ることができる。例えば、端末デバイスは、ＲＳＲＰ測定結果に応じて非競合ランダムアクセスリソースを選択し、ランダムアクセス手順を開始することができる。例えば、ＲＳＲＰ測定値が所定の閾値より大きい場合、ＵＥは、ＮＲ ＵＬの対応する非競合ランダムアクセスリソースを選択することができる。そうでなければ、ＵＥは、ＳＵＬ対応の非競合ランダムアクセスリソースのみを選択することができる。
【００６３】
さらに、該指示情報は、さらに、
該第１のリソースに対応する優先度情報及び／又は該第２のリソースに対応する優先度情報を含む。
【００６４】
したがって、ネットワークデバイスは、２つセットの非競合ランダムアクセスリソースを設定するとき、各セットの非競合ランダムアクセスリソースは、１つの優先度指示を設定し、端末デバイスが測定信号条件が許容する場合(例えば、RSRPが閾値より大きい場合)、優先的に使用する１つセットの非競合ランダムアクセスリソースを示す。
【００６５】
任意選択で、該ネットワークデバイスが指示情報を生成する前に、該ネットワークデバイスは、
該第１の上りキャリアの処理負荷、該第２の上りキャリアの処理負荷、該第１の上りキャリアの物理ランダムアクセスチャネル(Ｐｈｙｓｉｃａｌ Ｒａｎｄｏｍ Ａｃｃｅｓｓ Ｃｈａｎｎｅｌ、ＰＲＡＣＨ)リソースの負荷状況及び該第２の上りキャリアのＰＲＡＣＨリソースの負荷状況のうちの少なくとも１つに基づいて、該第１のリソースに対応する優先度情報及び／又は該第２のリソースに対応する優先度情報を決定する。
【００６６】
つまり、該指示情報内の該第１のリソースに対応する優先度情報及び／又は該第２のリソースに対応する優先度情報は、２つの上りキャリアの処理負荷及び２つのキャリアのＰＲＡＣＨリソースの負荷状況に基づいて設定しても良い。
【００６７】
なお、本発明の実施例において、該端末デバイスの非競合ランダムアクセスのためのリソースは、プリアンブルの識別情報及びプリアンブルを送信するためのＰＲＡＣＨリソースを含むが、これに限定されない。
【００６８】
以下、本発明の実施例における指示情報の伝送方式を説明する。
【００６９】
ある実施例において、該ネットワークデバイスが該端末デバイスに無線リソース制御（Ｒａｄｉｏ Ｒｅｓｏｕｒｃｅ Ｃｏｎｔｒｏｌ、ＲＲＣ）シグナリングを送信し、該ＲＲＣシグナリングが該指示情報を含む。つまり、該指示情報がＲＲＣシグナリングに含めて端末デバイスに送信する。
【００７０】
ある実施例において、該ネットワークデバイスは該端末デバイスに物理下りリンク制御チャネル（Ｐｈｙｓｉｃａｌ Ｄｏｗｎｌｉｎｋ Ｃｏｎｔｒｏｌ Ｃｈａｎｎｅｌ、ＰＤＣＣＨ）命令（ｏｒｄｅｒ）を送信し、該ＰＤＣＣＨ ｏｒｄｅｒが該指示情報を含む。つまり、該指示情報がＰＤＣＣＨ ｏｒｄｅｒに含めて端末デバイスに送信する。
【００７１】
図３は本発明の実施例におけるネットワークデバイスのブロック図である。
【００７２】
図３に示すように、該ネットワークデバイスは、生成ユニット３１０及び送受信ユニット３２０を含み、
生成ユニット３１０は、指示情報を生成するように構成され、該指示情報は、端末デバイスの非競合ランダムアクセスのための第１の上りキャリア上の第１のリソース及び／又は第２の上りキャリア上の第２のリソースを示し、該第１の上りキャリアの周波数ポイントと該第２の上りキャリアの周波数ポイントとは、異なり、
送受信ユニット３２０は、該端末デバイスに指示情報を送信するように構成される。
【００７３】
任意選択で、該指示情報は、該第１の上りキャリアの識別情報及び該第１のリソースを示す情報を含む。
【００７４】
任意選択で、該指示情報は、該第２の上りキャリアの識別情報及び該第２のリソースを示す情報を含む。
【００７５】
任意選択で、該送受信ユニット３２０は、さらに、
指示情報を生成する前に、該端末デバイスにより送信されたチャネル品質測定報告を受信するように構成され、
ここで、該生成ユニット３１０は、具体的に、
該チャネル品質測定報告に基づいて、該端末デバイスの非競合ランダムアクセスのための上りキャリアを決定し、
該端末デバイスの非競合ランダムアクセスのための上りキャリアに基づいて、該指示情報を生成するように構成される。
【００７６】
任意選択で、該チャネル品質測定報告は、該第１の上りキャリアに対応するセルの参照信号受信電力ＲＳＲＰ及び／又は参照信号受信品質ＲＳＲＱ、及び該第２の上りキャリアに対応するセルのＲＳＲＰ及び／又はＲＳＲＱを含む。
【００７７】
任意選択で、該指示情報は、該第１の上りキャリアの識別情報、該第２の上りキャリアの識別情報、該第１のリソースを示す情報及び該第２のリソースを示す情報を含む。
【００７８】
任意選択で、該指示情報は、さらに、
該第１のリソースに対応する優先度情報及び／又は該第２のリソースに対応する優先度情報を含む。
【００７９】
任意選択で、該送受信ユニット３２０は、さらに、
指示情報を生成する前に、
該第１の上りキャリアの処理負荷、該第２の上りキャリアの処理負荷、該第１の上りキャリアの物理ランダムアクセスチャネルＰＲＡＣＨリソースの負荷状況及び該第２の上りキャリアのＰＲＡＣＨリソースの負荷状況のうちの少なくとも１つに基づいて、該第１のリソースに対応する優先度情報及び／又は該第２のリソースに対応する優先度情報を決定するように構成される。
【００８０】
任意選択で、該端末デバイスの非競合ランダムアクセスのためのリソースは、
プリアンブルの識別情報及びプリアンブルを送信するための物理ランダムアクセスチャネルＰＲＡＣＨリソースを含む。
【００８１】
任意選択で、該送受信ユニット３２０は、具体的に、
該端末デバイスに無線リソース制御ＲＲＣシグナリングを送信するように構成され、該ＲＲＣシグナリングが該指示情報を含む。
【００８２】
任意選択で、該送受信ユニット３２０は、具体的に、
該端末デバイスに物理下りリンク制御チャネル命令ＰＤＣＣＨ ｏｒｄｅｒを送信するように構成され、該ＰＤＣＣＨ ｏｒｄｅｒが該指示情報を含む。
【００８３】
なお、処理ユニット３１０はプロセッサにより実現され、送受信ユニット３２０は送受信機により実現されてもよい。図４に示すように、端末デバイス４００は、プロセッサ４１０、送受信機４２０、及びメモリ４３０を含む。ここで、メモリ４３０は、指示情報を記憶するために使用されてもよく、プロセッサ４１０が実行するコード、命令などを記憶するために使用されてもよい。端末デバイス４００内の各構成要素は、データバスの他に、電源バス、制御バス、ステータス信号バス等のバスシステムにより接続されている。
【００８４】
図４に示す端末デバイス４００は、上述の図２の方法の実施例における端末デバイスにより実現される各処理を実現することができるが、重複を避けるために、ここではその説明を省略する。
【００８５】
図５は本発明の実施例における端末デバイスのブロック図である。
【００８６】
図５に示すように、該端末デバイス５００は、送受信ユニット５１０及び処理ユニット５２０を含み、
送受信ユニット５１０は、ネットワークデバイスにより送信された指示情報を受信するように構成され、該指示情報は、該端末デバイスの非競合ランダムアクセスのための第１の上りキャリア上の第１のリソース及び／又は第２の上りキャリア上の第２のリソースを示し、該第１の上りキャリアの周波数ポイントと該第２の上りキャリアの周波数ポイントとは、異なり、
処理ユニット５２０は、該指示情報に基づいてランダムアクセスを行うように構成される。
【００８７】
任意選択で、該指示情報は、該第１の上りキャリアの識別情報及び該第１のリソースを示す情報を含む。
【００８８】
任意選択で、該指示情報は、該第２の上りキャリアの識別情報及び該第２のリソースを示す情報を含む。
【００８９】
任意選択で、該送受信ユニット５１０は、さらに、
該ネットワークデバイスが該チャネル品質測定報告に基づいて、該指示情報を生成するように、ネットワークデバイスにより送信された指示情報を受信する前に、該ネットワークデバイスにチャネル品質測定報告を送信するように構成される。
【００９０】
任意選択で、該チャネル品質測定報告は、該第１の上りキャリアに対応するセルの参照信号受信電力ＲＳＲＰ及び／又は参照信号受信品質ＲＳＲＱ、及び該第２の上りキャリアに対応するセルのＲＳＲＰ及び／又はＲＳＲＱを含む。
【００９１】
任意選択で、該指示情報は、該第１の上りキャリアの識別情報、該第２の上りキャリアの識別情報、該第１のリソースを示す情報及び該第２のリソースを示す情報を含む。
【００９２】
任意選択で、該指示情報は、さらに、
該第１のリソースに対応する優先度情報及び／又は該第２のリソースに対応する優先度情報を含む。
【００９３】
任意選択で、該端末デバイスの非競合ランダムアクセスのためのリソースは、
プリアンブルの識別情報及びプリアンブルを送信するための物理ランダムアクセスチャネルＰＲＡＣＨリソースを含む。
【００９４】
任意選択で、該送受信ユニット５１０は、具体的に、
該ネットワークデバイスにより送信された無線リソース制御ＲＲＣシグナリングを受信するように構成され、該ＲＲＣシグナリングが該指示情報を含む。
【００９５】
任意選択で、該送受信ユニット５１０は、具体的に、
該ネットワークデバイスにより送信された物理下りリンク制御チャネル命令ＰＤＣＣＨ ｏｒｄｅｒを受信するように構成され、該ＰＤＣＣＨ ｏｒｄｅｒが該指示情報を含む。
【００９６】
なお、送受信ユニット５１０は、送受信機により実現されてもよく、処理ユニット５２０は、プロセッサにより実現されてもよい。図６に示すように、端末デバイス６００は、プロセッサ６１０、送受信機６２０、及びメモリ６３０を含む。ここで、メモリ６３０は、指示情報を記憶するために使用されてもよく、プロセッサ６１０が実行するコード、命令などを記憶するために使用されてもよい。端末デバイス６００の各構成要素は、データバスの他に、電源バス、制御バス、ステータス信号バス等のバスシステムにより接続されている。
【００９７】
図６に示す端末デバイス６００は、上述の図２の方法の実施例における端末デバイスによって実行される様々な処理を実行することができ、重複を避けるためにここで説明を省略する。
【００９８】
なお、本発明の実施例における方法の実施例は、プロセッサに適用されてもよく、又はプロセッサによって実装されてもよい。
【００９９】
実施において、本発明の実施例における方法の実施例のステップは、プロセッサにおけるハードウェアの集積論理回路またはソフトウェア形態の命令によって実行されてもよい。より具体的には、本発明の実施例に関連して開示された方法のステップは、ハードウェアデコーディングプロセッサによって実行されることによって直接実施され得るか、または、デコーディングプロセッサ内のハードウェアおよびソフトウェアモジュールの組み合わせによって実行されることによって実施され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当該技術分野における成熟した記憶媒体内に配置され得る。この記憶媒体は、メモリに位置し、プロセッサは、メモリ内の情報を読み取り、ハードウェアとともに上述した方法のステップを実行する。
【０１００】
ここで、プロセッサは、信号の処理能力を有し、本発明の実施例に開示された方法、ステップ、および論理ブロック図を実施または実行することができる集積回路チップであり得る。例えば、上記のプロセッサは、汎用プロセッサ、デジタル信号プロセッサ( ｄｉｇｉｔａｌ ｓｉｇｎａｌ ｐｒｏｃｅｓｓｏｒ、ＤＳＰ )、特定用途向け集積回路( ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ )、既存のプログラマブルゲートアレイ( ｆｉｅｌｄ ｐｒｏｇｒａｍｍａｂｌｅ ｇａｔｅ ａｒｒａｙ、ＦＰＧＡ  )又は他のプログラマブル論理デバイス、トランジスタロジック、ディスクリートハードウェアコンポーネント等であり得る。また、汎用プロセッサはマイクロプロセッサであってもよく、プロセッサは汎用のプロセッサ等であればよい。
【０１０１】
また、本発明の実施例において、メモリは、揮発性メモリまたは不揮発性メモリのいずれであってもよく、揮発性メモリと不揮発性メモリの両方を含んでもよい。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( ｒａｎｄｏｍ ａｃｃｅｓｓ ｍｅｍｏｒｙ、ＲＡＭ )であってよい。上述のメモリは、限定ではなく例示的であるが、例えば、本発明の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )等であってもよいことを理解されたい。すなわち、本明細書に記載のシステム及び方法のメモリは、これら及び任意の他の適切なタイプのメモリを含むことを意図しているが、これらに限定されない。
【０１０２】
最後に、本発明の実施例及び添付の特許請求の範囲で使用される用語は、特定の実施例を説明する目的のためだけであり、本発明の実施例を限定することを意図していない。
【０１０３】
例えば、本発明の実施例及び添付の特許請求の範囲で使用される単数形の「１つの」、「前記」、及び「該」は、文脈が他の意味を明確に示しない限り、複数形も含むことを意図している。
【０１０４】
また、例えば、文脈に応じて、本明細書で使用される「……で」という用語は、「もし」または「……の場合」または「決定に応答して」または「検出に応答して」と解釈され得る。同様に、文脈に応じて、「決定された場合」または「検出された場合(条件または事象の提示された場合)」という句は、「決定された場合」または「決定された場合に応答する」または「検出された場合(条件または事象の提示された場合)」として解釈され得る。
【０１０５】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用することができるが、そのような実施は、本発明の実施例の範囲から逸脱するものと考えられるべきではない。
【０１０６】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１０７】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１０８】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、各手段の一部又は全部を、必要に応じて選択して、実施することもできる。
【０１０９】
また、本発明の実施の形態における各機能部は、１つの処理部に集積されていてもよいし、各部は、物理的に単独で存在していてもよいし、２つ以上の部が１つの処理部に集積されていてもよい。
【０１１０】
ソフトウェア機能単位で実現され、独立した製品として販売又は使用される場合、コンピュータ読み取り可能な記録媒体に格納されてもよい。このような理解に基づいて、本発明の実施例の技術的思想の本質または従来技術に寄与する部分、または技術的思想の部分は、１つのコンピュータ装置(パーソナルコンピュータ、サーバ、またはネットワークデバイスなどであってもよい)に本発明の実施例に係る方法のステップの全部または一部を実行させるための複数の命令を含む１つの記憶媒体に記憶されたソフトウェア製品の形態で具現化されてもよい。また、前記記憶媒体としては、U-ディスク、リムーバブルハードディスク、リードオンリメモリ、ランダムアクセスメモリ、磁気ディスク、光ディスク等のプログラムコードを記憶できる種々の媒体を用いることができる。
【０１１１】
以上、本発明の実施例を具体的に説明したが、本発明の実施例の保護範囲はこれに限定されるものではなく、本発明の実施例の保護範囲内で当業者であれば容易に変更または置換を想到できるものであり、それらも本発明の実施例の保護範囲に包含されるものである。したがって、本発明の実施例の保護範囲は、特許請求の範囲の保護範囲を基準とするべきである。
【図１】
2021509780.tif 000003
【図２】
2021509780.tif 000004
【図３】
2021509780.tif 000005
【図４】
2021509780.tif 000006
【図５】
2021509780.tif 000007
【図６】
2021509780.tif 000008
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
ネットワークデバイスが指示情報を生成することと、
前記ネットワークデバイスが端末デバイスに指示情報を送信することとを含み、
前記指示情報は、前記端末デバイスの非競合ランダムアクセスの実行のための少なくとも２つの上りキャリアのうちの１つを示し、少なくとも２つの上りキャリアが少なくとも上りキャリア及び補助上りキャリアを含む
ことを特徴とする方法。
【請求項２】
前記指示情報は、
非補助上りキャリアの識別情報及び該非補助上りキャリアのリソースを示す情報、補助上りキャリアの識別情報及び該補助上りキャリアのリソースを示す情報のうちの少なくとも１つを含む
ことを特徴とする請求項１に記載の方法。
【請求項３】
前記ネットワークデバイスが指示情報を生成する前に、前記方法は、さらに、
前記ネットワークデバイスが前記端末デバイスにより送信されたチャネル品質測定報告を受信することと、
前記端末デバイスが非競合ランダムアクセスのための少なくとも２つの上りキャリアから１つを決定することと
を含む
ことを特徴とする請求項２に記載の方法。
【請求項４】
前記チャネル品質測定報告は、非補助上りキャリアに対応する第１のセルの参照信号受信電力ＲＳＲＰ又は参照信号受信品質ＲＳＲＱのうちの１つ以上、及び、補助上りキャリアに対応する第２のセルのＲＳＲＰ又はＲＳＲＱのうちの１つ以上を含む
ことを特徴とする請求項３に記載の方法。
【請求項５】
前記指示情報は、さらに、
前記少なくとも２つの上りキャリアのうちの非補助上りキャリアのリソースに対応する優先度情報、又は、
前記少なくとも２つの上りキャリアのうちの補助上りキャリアのリソースに対応する優先度情報を含む
ことを特徴とする請求項１に記載の方法。
【請求項６】
前記ネットワークデバイスが指示情報を生成する前に、前記方法は、さらに、
前記ネットワークデバイスは、
非補助上りキャリアの処理負荷、補助上りキャリアの処理負荷、非補助上りキャリアの物理ランダムアクセスチャネルＰＲＡＣＨリソースの負荷状況及び補助上りキャリアのＰＲＡＣＨリソースの負荷状況のうちの少なくとも１つに基づいて、前記非補助上りキャリアのリソースに対応する優先度情報又は前記補助上りキャリアのリソースに対応する優先度情報を決定することを含む
ことを特徴とする請求項５に記載の方法。
【請求項７】
前記端末デバイスの非競合ランダムアクセスの実行のための少なくとも２つの上りキャリアのうちの１つのリソースは、
プリアンブルの識別情報及びプリアンブルを送信するための物理ランダムアクセスチャネルＰＲＡＣＨリソースを含む
ことを特徴とする請求項１〜６のいずれか１項に記載の方法。
【請求項８】
前記端末デバイスに指示情報を送信することは、
前記ネットワークデバイスが前記端末デバイスに無線リソース制御ＲＲＣシグナリングを送信することを含み、前記ＲＲＣシグナリングが前記指示情報を含む
ことを特徴とする請求項１〜７のいずれか１項に記載の方法。
【請求項９】
前記端末デバイスに指示情報を送信することは、
前記ネットワークデバイスが前記端末デバイスに物理下りリンク制御チャネル命令ＰＤＣＣＨ ｏｒｄｅｒを送信することを含み、前記ＰＤＣＣＨ ｏｒｄｅｒが前記指示情報を含む
ことを特徴とする請求項１〜８のいずれか１項に記載の方法。
【請求項１０】
端末デバイスがネットワークデバイスにより送信された指示情報を受信することと、
前記端末デバイスが前記指示情報に基づいてランダムアクセスを行うこととを含み、
前記指示情報は、前記端末デバイスの非競合ランダムアクセスのための少なくとも２つの上りキャリアのうちの１つを示し、少なくとも２つの上りキャリアが補助上りキャリアを含む
ことを特徴とする方法。
【請求項１１】
前記指示情報は、
非補助上りキャリアの識別情報及び該非補助上りキャリアのリソースを示す情報、補助上りキャリアの識別情報及び該補助上りキャリアのリソースを示す情報のうちの少なくとも１つを含む
ことを特徴とする請求項１０に記載の方法。
【請求項１２】
ネットワークデバイスにより送信された指示情報を受信する前に、前記方法は、さらに、
前記端末デバイスが前記ネットワークデバイスに前記チャネル品質測定報告を送信することを含む
ことを特徴とする請求項１１に記載の方法。
【請求項１３】
前記チャネル品質測定報告は、
非補助上りキャリアに対応する第１のセルの参照信号受信電力ＲＳＲＰ又は参照信号受信品質ＲＳＲＱのうちの１つ以上、及び、補助上りキャリアに対応する第２のセルのＲＳＲＰ又はＲＳＲＱのうちの１つ以上を含む
ことを特徴とする請求項１２に記載の方法。
【請求項１４】
前記指示情報は、さらに、
前記少なくとも２つの上りキャリアのうちの非補助上りキャリアのリソースに対応する優先度情報、又は、
前記少なくとも２つの上りキャリアのうちの補助上りキャリアのリソースに対応する優先度情報を含むことを特徴とする請求項１０に記載の方法。
【請求項１５】
前記端末デバイスが前記少なくとも２つの上りキャリアのうちの１つを利用して非競合ランダムアクセスを実行するリソースは、
プリアンブルの識別情報及びプリアンブルを送信するための物理ランダムアクセスチャネル(ＰＲＡＣＨ)リソースを含む
ことを特徴とする請求項１０〜１４のいずれか１項に記載の方法。
【請求項１６】
ネットワークデバイスにより送信された指示情報を受信することは、
前記端末デバイスが前記ネットワークデバイスにより送信された無線リソース制御ＲＲＣシグナリングを受信することを含み、前記ＲＲＣシグナリングが前記指示情報を含む
ことを特徴とする請求項１０〜１５のいずれか１項に記載の方法。
【請求項１７】
前記端末デバイスがネットワークデバイスにより送信された指示情報を受信することは、
前記端末デバイスが前記ネットワークデバイスにより送信された物理下りリンク制御チャネル命令ＰＤＣＣＨ ｏｒｄｅｒを受信することを含み、前記ＰＤＣＣＨ ｏｒｄｅｒが前記指示情報を含む
ことを特徴とする請求項１０〜１５のいずれか１項に記載の方法。
【請求項１８】
請求項１〜９のいずれか1項に記載の方法を実行する
ことを特徴とするネットワークデバイス。
【請求項１９】
請求項１０〜１７のいずれか1項に記載の方法を実行する
ことを特徴とする端末デバイス。
【国際調査報告】
2021509780.tif 000009
2021509780.tif 000010
2021509780.tif 000011
2021509780.tif 000012